(57)【特許請求の範囲】
【請求項１】
包装容器の容器本体とキャップとにまたがって周方向に巻き付けられる熱収縮性の表示ラベルの、キャップ側領域を本体側領域から切離すために周方向に形成される切離し予定帯状部において、その切離し予定帯状部の切断を開始するために端部がつまみ部とされ、そのつまみ部を２層に構成するために、容器に巻き付けられる状態で該切離し予定帯状部の両端部が重なり合うように、少なくとも該切離し予定帯状部の長さが前記包装容器の周長より長く形成され、その重なり合うことが予定される両端部のうち、外側に位置することとなる外側端部にはつまみ部の突出外形が付与され、内側に位置することとなる内側端部には該突出外形とともに摘ままれる切離し領域を分断する分断線が形成され、かつ少なくともその突出外形の部分において、それら突出外形と切離し領域とを接着する粘着層を備えることを特徴とする包装容器用表示ラベル。
【請求項２】
前記突出外形は、前記切離し領域の上に２層に接着されたときに、前記突出外形が前記切離し領域内に収まる大きさで形成される請求項１に記載の包装容器用表示ラベル。
【請求項３】
前記切離し予定帯状部に沿って、その切離し予定帯状部を前記表示ラベルから切り離すための切離し誘導部が形成され、
前記本体側領域の裏面には、その本体側領域を前記容器本体に接着する粘着層を備えるとともに、
前記切離し予定帯状部が含まれる前記キャップ側領域の裏面には、前記外側端部に対応する位置に粘着層が形成され、前記切離し予定帯状部の長手方向に対応する位置には、前記容器本体に接着しない非粘着領域が形成される請求項１又は２に記載の包装容器用表示ラベル。
【請求項４】
前記切離し予定帯状部における前記容器本体側の前記切離し誘導部は、該容器本体に対する巻回方向へ連続して延び、他方、前記キャップ側の前記切離し誘導部は前記キャップに対する巻回方向へ延びた後、前記キャップ側領域の上縁に向かうように方向転換して該上縁を分断するように途切れ、これによりキャップ側領域が本体側領域から切り離される請求項３に記載の包装容器用表示ラベル。
【請求項５】
容器本体の開口がキャップで塞がれる包装容器と、その容器本体とキャップとにまたがって周方向に巻き付けられた熱収縮性の表示ラベルとを有し、
その表示ラベルは、自身のキャップ側領域を本体側領域から切離すために周方向に形成される切離し予定帯状部を備え、その切離し予定帯状部の切断を開始するために該切離し予定帯状部の端部がつまみ部とされ、少なくとも該切離し予定帯状部の長さが前記容器の周長より長く形成されることにより該切離し予定帯状部の両端部が重なり合い、その重なり合う部分が２層のつまみ部を構成し、その２層のつまみ部のうち外側に位置する外側端部にはつまみ部の突出外形が付与され、内側に位置する内側端部には該突出外形とともに摘ままれる切離し領域を分断する分断線が形成され、かつ少なくともその突出外形の部分においてそれら突出外形と切離し領域とが接着されていることを特徴とする表示ラベル付き包装容器。
【発明の詳細な説明】
【技術分野】
【０００１】
本発明は、包装容器の外周面に貼り付けられる表示ラベルに関し、例えば点眼容器等の医薬品容器に好適な包装容器用表示ラベル及び表示ラベル付き包装容器に関する。
【背景技術】
【０００２】
特許文献１に示すように、点眼容器等の医薬品容器のキャップと胴部にまたがって、内容物の情報等を記載した熱収縮性の表示ラベルを巻き付け、熱収縮により密着させるものがある。これにより、内容物の表示とともにキャップのバージン性が確保されるが、使用する時に表示ラベルのキャップ側領域を胴部（本体）側領域から切離すために、表示ラベルの巻付け方向沿って切断予定部を形成し、その端部に形成されたつまみ部を把持し、ミシン目に沿って周方向に破断させていくことでキャップを露出させることができる。このつまみ部が、容器表面から浮き上がる状態で熱収縮（シュリンク）されると、つまみ部が縮んで小さくなり、つまみ部の機能が減殺され、見栄えも悪くなる。これに対し、つまみ部の裏面を容器の表面に貼着した状態で熱収縮させるとつまみ部が熱収縮の影響を受けにくい。しかし、そうするとつまみ部を容器から剥がす手間がかかり、つまむ動作が迅速にできない。
【先行技術文献】
【特許文献】
【０００３】
【特許文献１】特開２００３−２２１０６１号公報
【発明の概要】
【発明が解決しようとする課題】
【０００４】
本発明は、上記した事情に鑑み、簡単な構造でありながら熱収縮によるつまみ部の変形が少なく、包装容器からの切取りを容易に行うことが可能な包装容器用表示ラベル及びその表示ラベル付き包装容器を提供することにある。
【課題を解決するための手段及び発明の効果】
【０００５】
上記課題を解決するために、本発明の包装容器用表示ラベルは、包装容器の容器本体とキャップとにまたがって周方向に巻き付けられる熱収縮性の表示ラベルの、キャップ側領域を本体側領域から切離すために周方向に形成される切離し予定帯状部において、その切離し予定帯状部の切断を開始するために端部がつまみ部とされ、そのつまみ部を２層に構成するために、容器に巻き付けられる状態で該切離し予定帯状部の両端部が重なり合うように、少なくとも該切離し予定帯状部の長さが前記包装容器の周長より長く形成され、その重なり合うことが予定される両端部のうち、外側に位置することとなる外側端部にはつまみ部の突出外形が付与され、内側に位置することとなる内側端部には該突出外形とともに摘ままれる切離し領域を分断する分断線が形成され、かつ少なくともその突出外形の部分において、それら突出外形と切離し領域とを接着する粘着層を備えることを特徴とする。
【０００６】
本発明によれば、包装容器の容器本体とキャップとにまたがって周方向に巻き付けられる熱収縮性の表示ラベルのキャップ領域側の部分を本体領域側から切離すために形成されるつまみ部は、２層構造であるため、つまみ部に熱収縮力が作用しても、熱収縮がしにくく（２層でない他のラベル領域に比べて熱収縮が小さい）、本来のつまみ部の形態を確保でき、熱収縮による変形が少ないので見栄えも良い。
【０００７】
また、突出外形は、切離し領域の上に２層に接着されたときに、突出外形が切離し領域内に収まる大きさで形成される。
【０００８】
これによれば、つまみ部を形成する外側端部の突出外形と内側端部の切離し領域が２層に接着されたときに、外側端部の突出外形が内側端部の切離し領域内に収まる位置に重ね合わされることとなるので、つまみ部において、外側端部の突出外形の裏面の粘着層が切離し領域外に接着することがなく、つまみ部の切離しが容易になる。
【０００９】
また、切離し予定帯状部に沿って、その切離し予定帯状部を表示ラベルから切り離すための切離し誘導部が形成され、本体側領域の裏面には、その本体側領域を容器本体に接着する粘着層を備えるとともに、切離し予定帯状部が含まれるキャップ側領域の裏面には、外側端部に対応する位置に粘着層が形成され、切離し予定帯状部の長手方向に対応する位置には、容器本体に接着しない非粘着領域が形成される。
【００１０】
これによれば、容器本体に巻き付けられる本体側領域の裏面に粘着層が形成されているので、表示ラベルの本体側領域と容器本体とを強固に接着することができ、本体側領域のラベルがずれるようなことがない。また、切離し予定帯状部が含まれるキャップ側領域の裏面には、外側端部に対応する位置に粘着層が形成されているので、その部分を内側端部の対応する位置と強固に固定できる。また、切離し予定帯状部の長手方向に対応する位置には、容器本体に接着しない非粘着領域が形成されているので、切離し予定帯状部を容器本体から切離すのが容易になる。また、切離し予定帯状部には、切離し予定帯状部に沿って切断抵抗を減じるためのミシン目や半切り溝等の切離し誘導部が形成されているので、包装容器本体からキャップ側領域のみをきれいに切離すことが可能となる。
【００１１】
また、切離し予定帯状部における容器本体側の切離し誘導部は、該容器本体に対する巻回方向へ連続して延び、他方、キャップ側の切離し誘導部はキャップに対する巻回方向へ延びた後、キャップ側領域の上縁に向かうように方向転換して該上縁を分断するように途切れ、これによりキャップ側領域が本体側領域から切り離される。
【００１２】
これによれば、切離し誘導部は上下に２本形成されており、本体側の切離し誘導部（下方の切離し誘導部）は巻回方向へ連続して延び、キャップ側の切離し誘導部（上方の切離し誘導部）は巻回方向へ延びた後、キャップ側領域の上縁に向かうように方向転換して上縁を分断するように途切れているので、表示ラベルのキャップ側領域を一度に取り除くことができる。
【００１３】
また、本発明の表示ラベル付き包装容器は、容器本体の開口がキャップで塞がれる包装容器と、その容器本体とキャップとにまたがって周方向に巻き付けられた熱収縮性の表示ラベルとを有し、その表示ラベルは、自身のキャップ側領域を本体側領域から切離すために周方向に形成される切離し予定帯状部を備え、その切離し予定帯状部の切断を開始するために該切離し予定帯状部の端部がつまみ部とされ、少なくとも該切離し予定帯状部の長さが容器の周長より長く形成されることにより該切離し予定帯状部の両端部が重なり合い、その重なり合う部分が２層のつまみ部を構成し、その２層のつまみ部のうち外側に位置する外側端部にはつまみ部の突出外形が付与され、内側に位置する内側端部には該突出外形とともに摘ままれる切離し領域を分断する分断線が形成され、かつ少なくともその突出外形の部分において、それら突出外形と切離し領域とが接着されていることを特徴とする。
【００１４】
これによれば、切離し予定帯状部の端部に２層構造のつまみ部が形成された表示ラベルが包装容器に巻き付けられているので、開封する際はそのつまみ部を摘まみ、キャップ側領域のラベルを容易に切離すことができる。
【図面の簡単な説明】
【００１５】
【図１】本発明に係る包装容器用表示ラベルを示す正面図。
【図２】図１の背面図。
【図３】包装容器用表示ラベルを使用する際の説明図。
【図４】包装容器用表示ラベルを使用する際の説明図及びつまみ部の拡大説明図。
【図５】包装容器用表示ラベル付き包装容器を示す図。
【図６】図５を側方から見た図。
【図７】包装容器用表示ラベル付き包装容器からキャップ側領域を切離す様子を示す説明図。
【図８】別の形態の包装容器用表示ラベルを示す図。
【図９】別の形態の包装容器用表示ラベルを示す図。
【図１０】別の形態の包装容器用表示ラベルを示す図。
【図１１】別の形態の包装容器用表示ラベルを示す図。
【発明を実施するための形態】
【００１６】
以下、本発明の実施の形態を図面を参照しつつ説明する。
図１は本発明に係る包装容器用表示ラベル１を示す正面図である。包装容器用表示ラベル１（以下、単に表示ラベルともいう）は、例えば点眼容器等の包装容器１０１（以下、単に容器ともいう）に対して巻き付けられる熱収縮性の表示ラベルである（図５参照）。表示ラベル１は、容器１０１の胴部に対して巻き付け易いように、周方向が長く形成されており、表示ラベル１の下方側は、包装容器１０１の容器本体１０２に巻き付けられる本体側領域Ｔｈに相当し、表示ラベル１の上方側は、包装容器１０１のキャップ１０３に巻き付けられるキャップ側領域Ｔｋに相当する。そして、キャップ側領域Ｔｋを本体側領域Ｔｈから切離すために、周方向に切離し予定帯状部２が形成されている。また、表示ラベル１の表面又は裏面には、包装容器１０１内の内容物や、表示ラベル１及び包装容器１０１（容器本体１０２及びキャップ１０３）の構成材料、販売品名、製造元、製造番号、使用期限等を示す様々な情報Ｔｊが印刷されている。
【００１７】
切離し予定帯状部２は、キャップ側領域Ｔｋに含まれており、切断を開始するために端部がつまみ部３とされている（図５参照）。このつまみ部３は２層で構成されている。図１の正面図に示すように、容器１０１に対して巻き付けた際に外側に位置する外側端部４ａに半円状の突出外形３ａが形成され、容器１０１に対して巻き付けた際に内側に位置する内側端部４ｂには、その突出外形３ａと対応する位置に切離し領域３ｂが形成されている。これら突出外形３ａと切離し領域３ｂとがつまみ部の２層を構成する。なお、突出外形３ａには、その部分がつまみ部３であることが目立つように色彩を施すようにしている（図中、黒く塗りつぶされた部分）が、色彩を施さないようにしてもよく、つまみ部周囲にその部分がつまみ部であることを示す情報や切取り方向を示す矢印を入れるようにしてもよい。
【００１８】
切離し領域３ｂには、縦方向から横方向にかけて突出外形３ａの先端部と対応する円弧形態の切れ目５ａと横方向の上下に突出外形３ａの平行部に対応するミシン目５ｂとが形成され、それらが突出外形３ａとともに摘ままれる切離し領域３ｂを分断するする分断線５として機能するようになっている。
【００１９】
切離し予定帯状部２には、切離し予定帯状部２を切離すために上下に２本のミシン目６ａ、６ｂが形成されており、これらのミシン目６ａ、６ｂが切離し予定帯状部２を切離す際の切断抵抗を減じる切離し誘導部６として働いている。ここで、容器本体１０２側（下方）のミシン目６ｂは、容器本体１０２に対する巻回方向へ連続して延び、キャップ１０３側（上方）のミシン目６ａは、キャップ１０３に対する巻回方向へ延びた後、キャップ側領域Ｔｋの上縁４ｃに向かうように方向転換してその上縁４ｃを分断するように途切れるようになっている。また、ミシン目に代えて又はミシン目とともに半切り溝等を設けるようにしてもよい。
【００２０】
ここで、切離し予定帯状部２は、つまみ部３を摘まんで切離された際に、１本の帯となるように切離される（図７参照）が、平面視で２つの部位から形成されていることが分かる。つまり、キャップ側領域Ｔｋの上縁４ｃと本体側領域Ｔｈの下縁４ｄとの間において、２本の切離し誘導部６（ミシン目６ａ、６ｂ）により、表示ラベル１は本体側領域Ｔｈとキャップ側領域Ｔｋに分かれるのであるが、キャップ側領域Ｔｋでは、さらに、キャップ側（上方）のミシン目６ａにより、切離し予定帯状部２が下方に位置する下方切離し予定帯状部２ａ（以下、単に下方帯状部ともいう）と、上方に位置する上方切離し予定帯状部２ｂ（以下、単に上方帯状部ともいう）とに分かれる。
【００２１】
なお、熱収縮性の表示ラベル１の原料としては特に限定されず、例えばポリエチレンテレフタレートなどのポリエステル系樹脂、ポリスチレンなどのスチレン系樹脂、ポリプロピレンなどのオレフィン系樹脂、塩化ビニル系樹脂などの熱可塑性樹脂から構成される１種又は２種以上の混合物を含むフィルムを用いることができる。そして、このフィルムに粘着層、印刷層、非粘着層などを既存の方法により積層して表示ラベル１を形成する。
【００２２】
図２は、包装容器用表示ラベル１の背面図を示す図であり、表示ラベル１において、粘着層が形成されていない非粘着領域をハッチングで示している。つまり、表示ラベル１の容器本体１０２に巻き付けられる本体側領域Ｔｈの裏面には、その本体側領域Ｔｈを容器本体１０２に接着する粘着層７ａが全面に渡り形成されている。また、切離し予定帯状部２が含まれるキャップ側領域Ｔｋの裏面には、外側端部４ａに対応する位置に粘着層７ｂ、７ｃが形成されている。具体的に述べると、つまみ部３の突出外形３ａの裏面に当たる部分に粘着層７ｂが形成されており、切離し予定帯状部２については、下方帯状部２ａの長手方向の裏面に容器本体１０２に接着しない非粘領域８ａが形成され、上方帯状部２ｂの下方帯状部２ａと接着する位置に粘着層７ｃが形成され、それ以外の領域の長手方向に渡り非粘着領域８ｂが形成されている。なお、２本の切離し誘導部６（ミシン目６ａ、６ｂ）近傍の領域には、非粘着領域が形成されていない（粘着層が形成されている）が、これは切離し誘導部６の近傍に粘着層が形成されていることで、形成されていない場合に比べ、切離し時にミシン目領域がキャップ１０３からズレるのを防ぐようにするためである。また、ミシン目の部分の粘着層により、熱収縮時のミシン目領域のシワ防止にもつながる。なお、非粘着領域は既存の印刷等の方法により印刷して形成すればよい。
【００２３】
表示ラベル１を使用する際は、図３に示すように、表示ラベル１の両端部４ａ、４ｂを合わせるように近づけ、図４に示すように、表示ラベル１から側方に延びるように形成される突出外形３ａが、切離し領域３ｂと重なるように接着する。このように表示ラベル１を包装容器１０１に巻き付けるようにするためには、切離し予定帯状部２の長さが包装容器１０１の周長より長く形成されていないといけない。つまり、図４に示すように、表示ラベル１において表示ラベル１同士（両端部４ａ、４ｂ同士）が重なるオーバーラップ部分Ｔｏが存在することで、つまみ部３の２層構造を形成することを可能にしている。なお、オーバーラップ部分Ｔｏは、長すぎると切離す際の負荷が大きくなるので、それほど長く形成する必要はなく、また短すぎると粘着層が十分に確保できないので、使用に合わせ最適な長さとするのが良い。
【００２４】
つまみ部３の構造について図４右側の拡大図により詳細に説明すると、つまみ部３を形成する表示ラベル１の突出外形３ａは、切離し領域３ｂと重ね合わされたときに、切離し領域３ｂ内に突出外形３ａが収まる大きさで形成される。表示ラベル１の外側端部４ａである突出外形３ａの裏面には、表示ラベル１の内側端部４ｂである切離し領域３ｂの表面と重なる位置に粘着層７ｂが形成されているので、両者が接着され、２層構造を形成するようになっている（図２参照）。
【００２５】
このように、つまみ部３は２層構造であるので、１層構造のものに比べ、つまみ部３に熱収縮力が作用しても熱収縮がしにくく（２層でない他のラベル領域に比べて熱収縮が小さい）、つまみ部３の形態を確保でき、また熱収縮による変形が少ないので見栄えが良い。つまり、熱を加えると変形し、つまみ部がカールしたり収縮したりすること、変形を小さくするためにつまみ部を大きくして見た目が悪くなるということを防ぐことができ、つまみ部３を簡単な構造でありながら、優れたものにすることができる。
【００２６】
また、つまみ部３を摘まんでキャップ側領域Ｔｋを容器１０１から切離す際は、切離し領域３ｂの切れ目５ａを把持し、そこからミシン目５ｂへ向かい切離すようになるが、内側端部４ｂに形成される切離し領域３ｂの裏面は、容器１０１に対して非粘着となっている（非粘着領域８ａが形成されている）ので、裏面に粘着層が形成されている場合に比べ、キャップ側領域Ｔｋから剥がす手間が要らず、つまみ部３を容易に把持することができる（図２参照）。
【００２７】
詳細に説明すると、つまみ部３を形成する外側端部４ａの突出外形３ａと内側端部４ｂの切離し領域３ｂが２層に接着されたときに、外側端部４ａの突出外形３ａが内側端部４ｂの切離し領域３ｂ内に収まる位置に重ね合わされることとなるので、つまみ部３において、外側端部４ａの突出外形３ａの裏面の粘着層７ｂが切離し領域３ｂ外に接着することがなく、つまみ部３の切離しが容易になる。
【００２８】
次に、図５に包装容器用表示ラベル付き包装容器１００（以下、単に表示ラベル付き容器、ラベル付き容器ともいう）を示す。ラベル付き容器１００は、容器本体１０２の開口がキャップ１０３で塞がれる包装容器１０１と、容器本体１０２とキャップ１０３とにまたがって周方向に巻き付けられた熱収縮性の表示ラベル１とを有している。この表示ラベル１は、自身のキャップ側領域Ｔｋを本体側領域Ｔｈから切り離すために周方向に形成される切離し予定帯状部２を備え、その切離し予定帯状部２の切断を開始するために切離し予定帯状部２の端部がつまみ部３とされている。切離し予定帯状部の両端部４ａ、４ｂが重なり合い（図４、５参照）、その重なり合う部分が２層のつまみ部３を構成している。なお、本体側領域Ｔｈとは、容器本体１０２をほぼ含む面積を示す概念であり、必ずしも容器本体の全ての範囲を含むものではなく、キャップ側領域Ｔｋも同様にキャップ１０３をほぼ含む面積を示す概念であり、本体側領域Ｔｈに一部がかかる場合も含むものである。つまり、キャップ側領域Ｔｋを取り除いたときに、使用が問題ない範囲で切離し誘導部６の位置を変更することができる。
【００２９】
図６は図５のラベル付き容器１００を側方から見た図である。この図６から分かるように、切離し予定帯状部２に沿って切断抵抗を減じる切離し誘導部６であるミシン目６ａ、６ｂの内、本体側領域Ｔｈのミシン目６ｂは、容器本体１０２に対する巻回方向へ連続して延び、キャップ側領域Ｔｋのミシン目６ａは、キャップ１０３に対する巻回方向へ延びた後、キャップ側領域Ｔｋの上縁４ｃに向かうように方向転換して上縁を分断するように延びている。
【００３０】
ラベル付き容器１００からキャップ側領域Ｔｋを切離す様子を図７により説明する。図７（ａ）に示すように、表示ラベル１において本体側領域Ｔｈからキャップ側領域Ｔｋを取り除く際は、つまみ部３を摘まみ巻回方向へ向かい、切離し予定帯状部２を切離していく。なお、切離し時は下方帯状部２ａから切離されていくこととなる。そして、表示ラベル付き容器１００を３／４回転すると、図７（ｂ）に示すように、下方帯状部２ａが細長い形態で容器１０１の周方向に沿って切取られる。さらに図７（ｃ）のように、表示ラベル付き容器１００を１回転させると、ミシン目６ａは上縁４ｃに向かい（誘導されて）切取られていく。ここで、下方帯状部２ａの裏面には、長手方向に渡り非粘着領域８ａが形成されているので、キャップ側領域Ｔｋからの切離しを容易に行うことができきる。
【００３１】
そして、図７（ｃ）の状態からさらにつまみ部３を摘まみ、切離し予定帯状部２を切離すと図７（ｄ）に示すようになり、ラベル付き容器１００には、表示ラベル１の内、本体側領域Ｔｈのみが残り、容器１０１を使用するときに、キャップ１０３の開閉が可能となる。また、キャップ側領域Ｔｋ部分は、切離し予定帯状部２が一本の帯状となり、取り除かれる。
【００３２】
これは、切離し予定帯状部２において、下方帯状部２ａと上方帯状部２ｂとが、外側に位置する上方帯状部２ｂの外側端部４ａの裏面に形成された粘着層７ｃにより下方帯状部２ａの内側端部４ｂと接着していることで、切離し後に一本の帯状となるように構成されているためである。また、下方帯状部２ａの外側端部４ａに形成される突出外形３ａは、裏面の粘着層７ｂにより、剥離領域３ｂと一体となりつまみ部３を形成し、その部分が２層構造となっている。
【００３３】
図８〜図１１に、包装容器用表示ラベル１の別形態を示す。図８に示す表示ラベル１０は、キャップ側領域Ｔｋが切離し予定帯状部１２において下方帯状部１２ａの上下に２本形成される切離し誘導部１６であるミシン目１６ａ、１６ｂによって２分割されることとなる。つまり、表示ラベル１０を使用する際に、下方帯状部１２ａは、表示ラベル１０の外側端部１４ａに形成される突出外形１３ａと、その突出外形１３ａに対応するように形成される内側端部１４ｂの切離し領域１３ｂとが接着することで形成されるつまみ部１３を摘まみ、切離すことで、帯状に取り除かれる。切離し領域１３ｂの周囲には、上記図１〜４に示す実施例と同様、切れ目１５ａとミシン目１５ｂが形成されており、これらが、切離し領域１３ｂを分断する分断線１５として機能する。この場合、上方帯状部１２ｂが輪状に残るようになるが、その部分を後に取り除けば良い。また、このように下方帯状部１２ａが直線状に形成されているので、つまみ部１３から勢いよく引っ張っても切離し予定帯状部１２をきれいに切離すことができる。なお、表示ラベル１０において、上方のミシン目１６ａを無くした形態のラベルとすることも可能である。
【００３４】
また、図９に示す表示ラベル２０は、キャップ側領域Ｔｋが切離し予定帯状部２２において下方帯状部２２ａの上下に２本形成される切離し誘導部２６であるミシン目２６ａ、２６ｂによって２分割されることとなる。さらに、上方帯状部２２ｂは、上方に突出する中央帯状部２２ｃから上下に沿って設けられた２本のミシン目２６ｃ、２６ｃにより中央帯状部２２ｃが切取り易いように構成されている。つまり、表示ラベル２０を使用する際に、下方帯状部２２ａは、表示ラベル２０の外側端部２４ａに形成される突出外形２３ａと、その突出外形２３ａに対応するように形成される内側端部２４ｂの切離し領域２３ｂとが接着することで形成されるつまみ部２３を摘まみ、切離すことで、帯状に取り除かれる。切離し領域２３ｂの周囲には、切れ目（分断線）２５のみが形成されている。このような切れ目２５が形成されていることにより、つまみ部２３は容器から浮き上がるようになるので、つまみ部２３が摘まみ易くなる。また、上方帯状部２２ｂが輪状に残っても、中央帯状部２２ｃを切取ることでキャップ領域Ｔｋ部分を全て取り除くことができる。
【００３５】
また、図１０に示す表示ラベル３０では、外側端部３４ａに形成される突出外形３３ａと内側端部３４ｂに形成される切離し領域３３ｂとによりつまみ部３３を形成することや、切離し予定帯状部３２において下方帯状部３２ａの下端に形成されるミシン目３６ｂは上述した実施例と同様であるものの、下方帯状部３２ａと上方帯状部３２ｂとの間のミシン目３６ａは、キャップに対する巻回方向へ連続して延びながら徐々に上縁３４ｃに向かいなだらかに上昇していく。このようななだらかなミシン目３６ａにより、切離し予定帯状部３２の切離しをより滑らかに行うことができる。
【００３６】
また、図１１に示す表示ラベル４０（ラベル裏面を示す）では、上記実施例とは異なり、粘着層側をドットのハッチングで示している。つまり、外側端部４４ａの辺りに本体側領域Ｔｈ部分の粘着層４７ａ、突出外形４３ａ部分の粘着層４７ｂ、上方帯状部４２ｂ部分の粘着層４７ｃが形成されている。さらに、下方帯状部４２ａの上下に形成される切離し誘導部４６（ミシン目４６ａ、４６ｂ）の周囲に粘着層４７ｄ、４７ｅが形成されている。また、本体側領域Ｔｈ、キャップ側領域Ｔｋの残りの部分は、非粘着領域４８ａ、４８ｂ、４８ｃが形成されている。このように、粘着層を印刷等の手法により塗布することも可能である。
【００３７】
上記で示す実施例において、ミシン目の間隔や態様を部位毎に適宜変更することも可能である。また、ミシン目、切れ目、半切り溝等を組合せて切離し誘導部、分断線を形成してもよい。
【００３８】
また、上記実施例では、外側端部４ａの突出外形３ａを除く部分は、一直線となる様な形態で構成されているが、突出外形３ａを挟んで前後にずれているような形態としてもよい。つまり、表示ラベル１の正面図において、キャップ側領域Ｔｋ部分の外形は容器形状に合わせるため内側端部４ｂの上方が斜めに曲がっているが、その部分のズレを外側端部４ａの上方へ持ってくるということである。よって、外側端部４ａは突出外形３ａを挟んで、本体側領域Ｔｈがキャップ側領域Ｔｋより突出する位置となる。このように表示ラベル１の外形は、容器形状に合わせ適宜変更が可能である。
【００３９】
以上、本発明の実施形態を説明したが、これらはあくまで例示にすぎず、本発明はこれらに限定されるものではなく、特許請求の範囲の趣旨を逸脱しない限りにおいて種々の変更が可能である。
【符号の説明】
【００４０】
１        包装容器用表示ラベル（表示ラベル）
２        切離し予定帯状部
２ａ      下方切離し予定帯状部（下方帯状部）
２ｂ      上方切離し予定帯状部（上方帯状部）
３        つまみ部
３ａ      突出外形
３ｂ      切離し領域
４ａ      外側端部
４ｂ      内側端部
５        分断線
６        切離し誘導部
１００    包装容器用表示ラベル付き包装容器（ラベル付き容器）
１０１    包装容器
１０２    容器本体
１０３    キャップ
Ｔｈ      本体側領域
Ｔｋ      キャップ側領域
【図１】
0005718158.tif 000002
【図２】
0005718158.tif 000003
【図３】
0005718158.tif 000004
【図４】
0005718158.tif 000005
【図５】
0005718158.tif 000006
【図６】
0005718158.tif 000007
【図７】
0005718158.tif 000008
【図８】
0005718158.tif 000009
【図９】
0005718158.tif 000010
【図１０】
0005718158.tif 000011
【図１１】
0005718158.tif 000012